(57)【要約】 【課題】ディザリングの処理を簡易な構成で、かつ高速に行う。【解決手段】発振器は、位相誤差信号に応じた発振周波数を持つ発振信号を生成する発振部と、発振信号の整数位相を検出する整数位相検出器と、乱数を生成する乱数発生器と、乱数に基づいて、基準信号の位相と発振信号の位相との位相差、または位相差をオフセットさせた位相差を示す位相差信号を出力するエッジ選択器と、位相差信号に基づいて、発振信号の小数位相を検出する小数位相検出器と、乱数に応じたオフセット補正値を演算するオフセット補正演算器と、整数位相と、小数位相と、オフセット補正値と、基準位相と、に基づいて、位相誤差信号を生成する位相誤差生成器と、を備える。【選択図】図１
2018157434.tif 000002
【特許請求の範囲】
【請求項１】
位相誤差信号に応じた発振周波数を持つ発振信号を生成する発振部と、
前記発振信号の整数位相を検出する整数位相検出器と、
乱数を生成する乱数発生器と、
前記乱数に基づいて、基準信号の位相と前記発振信号の位相との位相差、または前記位相差をオフセットさせた位相差を示す位相差信号を出力するエッジ選択器と、
前記位相差信号に基づいて、前記発振信号の小数位相を検出する小数位相検出器と、
前記乱数に応じたオフセット補正値を演算するオフセット補正演算器と、
前記整数位相と、前記小数位相と、前記オフセット補正値と、基準位相と、に基づいて、前記位相誤差信号を生成する位相誤差生成器と、を備える発振器。
【請求項２】
前記オフセット補正演算器は、前記発振信号の位相雑音が最小になるように、前記乱数に所定の係数を乗じて前記オフセット補正値を演算する、請求項１に記載の発振器。
【請求項３】
前記基準位相および前記乱数に基づいて、前記エッジ選択器での位相シフト方向を示す信号を生成する位相シフト方向選択器を備え、
前記オフセット補正演算器は、前記位相シフト方向選択器が生成した信号に基づいて、前記オフセット補正値を演算し、
前記エッジ選択器は、前記位相シフト方向選択器が生成した信号に基づいて、前記位相差信号を生成する、請求項１または２に記載の発振器。
【請求項４】
前記オフセット補正演算器は、前記エッジ選択器から出力される前記位相差信号が２πを超えないように、前記オフセット補正値を演算する、請求項３に記載の発振器。
【請求項５】
前記オフセット補正演算器は、ゲインαを用いて、前記乱数に基づいて、−α、０、（１−α）のいずれかを含む前記オフセット補正値を演算する、請求項３または４に記載の発振器。
【請求項６】
前記エッジ選択器は、オフセット前の位相差信号が（１−α）π未満の場合には、前記オフセット前の位相差信号を＋αするか否かをランダマイズし、前記オフセット前の位相差信号が（１−α）π以上の場合には、前記オフセット前の位相差信号を（α−１）πするか否かをランダマイズする、請求項５に記載の発振器。
【請求項７】
前記ゲインαは、前記発振信号のデューティ比である、請求項５または６に記載の発振器。
【請求項８】
請求項１乃至７のいずれか一項に記載の発振器を備えた集積回路。
【請求項９】
請求項８に記載の集積回路と、
少なくとも１つのアンテナと、を備える無線通信装置。
【請求項１０】
ＲＦ部と、ベースバンド部とを備えた無線通信装置であって、
前記ＲＦ部は、送信回路と、受信回路と、を有し、
前記ベースバンド部は、送信処理回路と、受信処理回路と、を有し、
前記受信回路は、
位相誤差信号に応じた発振周波数を持つ発振信号を生成する発振部と、
前記発振信号の整数位相を検出する整数位相検出器と、
乱数を生成する乱数発生器と、
前記乱数に基づいて、基準信号の位相と前記発振信号の位相との位相差、または前記位相差をオフセットさせた位相差を示す位相差信号を出力するエッジ選択器と、
前記位相差信号に基づいて、前記発振信号の小数位相を検出する小数位相検出器と、
前記乱数に応じたオフセット補正値を演算するオフセット補正演算器と、
前記整数位相と、前記小数位相と、前記オフセット補正値と、前記基準位相と、に基づいて、前記位相誤差信号を生成する位相誤差生成器と、を有する、無線通信装置。
【発明の詳細な説明】
【技術分野】
【０００１】
本発明の実施形態は、発振器、集積回路、および無線通信装置に関する。
【背景技術】
【０００２】
ディザリングと呼ばれる技術が知られている。ディザリングは、Ａ／Ｄコンバータや位相デジタル変換器（ＴＤＣ：Time to Digital Converter）の入力信号にオフセットを加え、変換後のコード信号から付加した分のオフセットを差し引くことで、変換器の非線形性をランダム化する技術である。ＡＤＰＬＬ（All Digital Phase Locked Loop）にディザリングを適用することで、ＴＤＣの非線形性によって生じるフラクショナル・スプリアスをさらに低減することができる。
【０００３】
従来のディザリングは、処理に長時間を要し、ハードウェア構成も複雑になるという問題があった。民生用の通信機器内の発振器への適用を考えると、ディザリングを高速かつ簡易な構成で行うことが望まれている。
【先行技術文献】
【特許文献】
【０００４】
【特許文献１】米国特許７９４００９９
【発明の概要】
【発明が解決しようとする課題】
【０００５】
本発明の実施形態は、ディザリングの処理を簡易な構成で、かつ高速に行うことが可能な発振器、集積回路、および無線通信装置を提供するものである。
【課題を解決するための手段】
【０００６】
本実施形態では、位相誤差信号に応じた発振周波数を持つ発振信号を生成する発振部と、
前記発振信号の整数位相を検出する整数位相検出器と、
乱数を生成する乱数発生器と、
前記乱数に基づいて、基準信号の位相と前記発振信号の位相との位相差、または前記位相差をオフセットさせた位相差を示す位相差信号を出力するエッジ選択器と、
前記位相差信号に基づいて、前記発振信号の小数位相を検出する小数位相検出器と、
前記乱数に応じたオフセット補正値を演算するオフセット補正演算器と、
前記整数位相と、前記小数位相と、前記オフセット補正値と、基準位相と、に基づいて、前記位相誤差信号を生成する位相誤差生成器と、を備える発振器が提供される。
【図面の簡単な説明】
【０００７】
【図１】第１の実施形態による発振器１の概略構成を示すブロック図。
【図２】ＴＤＣの非線形特性を示すグラフ。
【図３】エッジ選択器の内部構成の一例を示す回路図。
【図４】図３のエッジ選択器の動作タイミング図。
【図５】第２の実施形態による発振器１の概略構成を示すブロック図。
【図６】ゲインα＝０．５（デューティ比５０％）のときのディザ付加の様子を示す図。
【図７】デューティ比が５０％ではない場合のディザ付加の様子を示す図。
【図８】図５のエッジ選択器の内部構成を示す回路図。
【図９】図８のエッジ選択器の動作タイミング図。
【図１０】第１および第２の実施形態におけるＡＤＰＬＬ構成の発振器を有する受信回路および無線通信装置の内部構成を示すブロック図。
【図１１】ＰＣとマウスとの間で無線通信を行う例を示す図。
【図１２】ウェアラブル端末とホスト装置との間で無線通信を行う例を示す図。
【発明を実施するための形態】
【０００８】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【０００９】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１０】
（第１の実施形態）
図１は第１の実施形態による発振器１の概略構成を示すブロック図である。図１の発振器１は、例えば受信機や送信機等の無線通信装置用の局部発振器１として用いることが可能である。なお、図１の発振器１の用途は、必ずしも無線通信装置に限られるものではない。図１の発振器１は、発振信号の発振周波数をデジタルＰＬＬ制御にて安定化させるものである。
【００１１】
図１の発振器１は、発振部２と、整数位相検出器３と、乱数発生器（ＰＲＢＳ：Pseudo-Random Bit Sequence）４と、エッジ選択器５と、小数位相検出器６と、オフセット補正演算器７と、位相誤差生成器８と、基準位相生成器９とを備えている。
【００１２】
発振部２は、位相誤差信号に応じた発振周波数を持つ発振信号を生成する。発振部２は、ＬＣ発振器やリング発振器などで構成されるデジタル制御発振器１（ＤＣＯ：Digitally Control Oscillator）２である。ＤＣＯ２は、デジタル制御コードＦＣＷにより発振周波数を制御可能である。
【００１３】
整数位相検出器３は、ＤＣＯ２の発振信号の整数位相を検出する。整数位相検出器３は、例えばカウンタ３で構成可能である。
【００１４】
乱数発生器４は、乱数を生成する。乱数発生器４が生成する乱数は、厳密な意味での乱数である必要はなく、生成多項式などを用いて生成した擬似乱数でもよい。本実施形態では、擬似乱数も含めて乱数と表記する。乱数発生器４が生成する乱数は、ランダムに出現する０または１である。
【００１５】
エッジ選択器５は、乱数発生器４が生成した乱数に基づいて、基準信号ＲＥＦの位相と発振信号の位相との位相差、またはこの位相差をオフセットさせた位相差を示す位相差信号を出力する。より具体的には、エッジ選択器５は、位相差をプラスπオフセットさせるか否かを、乱数発生器４が生成した乱数に基づいて決定する。エッジ選択器５の内部構成は後述する。
【００１６】
小数位相検出器６は、エッジ選択器５から出力される位相差信号に基づいて、発振信号の小数位相を検出する。小数位相検出器６は、位相デジタル変換器（ＴＤＣ）６で構成されている。
【００１７】
オフセット補正演算器７は、乱数発生器４が生成した乱数に応じたオフセット補正値を演算する。オフセット補正演算器７は、位相誤差信号に基づいて決定されるゲインαに乱数を乗じる乗算器７を有する。乗算器７の出力がオフセット補正値となる。ゲインαは、発振信号の位相雑音が最小になるように調整するのが望ましい。ゲインαは、後述する位相誤差信号ＰＨＥに基づいてα検出部１０にて検出される。
【００１８】
位相誤差生成器８は、整数位相と、小数位相と、オフセット補正値と、基準位相とに基づいて、位相誤差信号を生成する。位相誤差生成器８は、第１加算器１１と、第２加算器１２と、ループフィルタ１３とを有する。第１加算器１１は、ＴＤＣ６の出力信号と、乗算器７の出力信号と、カウンタ３の出力信号とを加算した信号を出力する。より詳細には、第１加算器１１は、ＴＤＣ６の出力信号からオフセット補正値を減じて、オフセット分を相殺した小数位相を求める。また、第１加算器１１は、小数位相に整数位相を加算する。
【００１９】
第２加算器１２は、第１加算器１１の出力信号と、基準位相生成器９で生成した基準位相との差分である信号ＰＨＥを出力する。この信号ＰＨＥが位相誤差信号に相当する。ループフィルタ１３は、位相誤差信号に含まれるノイズ成分を除去する。ループフィルタ１３の出力信号は、発振制御信号としてＤＣＯ２に供給される。ＤＣＯ２は、発振制御信号に基づいて、発振信号の発振周波数を制御する。
【００２０】
次に、図１の発振器１の動作を説明する。まず、通常動作時には、エッジ選択器５は、基準信号とＤＣＯ２の発振信号の正エッジとの位相差信号を出力する。ＴＤＣ６は、基準信号とＤＣＯ２の発振信号の正エッジとの位相差がゼロになるように、帰還制御を行う。
【００２１】
エッジ選択器５は、乱数発生器４が生成した乱数がゼロの場合には、ディザリング動作時であっても通常動作と同様に、基準信号とＤＣＯ２の発振信号のエッジとの位相差信号をＴＤＣ６に供給する。一方、乱数が１の場合には、エッジ選択器５は、基準信号とＤＣＯ２の発振信号の負エッジ、より具体的には、基準信号と発振信号の正エッジの次に入力される負エッジとの位相差信号をＴＤＣ６に供給する。
【００２２】
図２はＴＤＣ６の非線形特性を示すグラフである。図２の横軸はＴＤＣ６の入力位相、縦軸はＴＤＣ６の出力位相である。ＴＤＣ６が線形特性を持っていれば、図２の破線のような直線状のグラフになるはずであるが、実際には実線曲線のように、構成部品の電気的特性のばらつき等により、ＴＤＣ６の入力位相と出力位相との関係は非線形になる。図２の例では、入力位相が０〜πの間は出力位相が過剰に進み、入力位相がπ〜２πの間は出力位相が遅れ気味になっている。本実施形態は、ＴＤＣ６が図２のような非線形性を持っていたとしても、ＴＤＣ６に供給する位相差信号をプラスπするか否かをランダムに切り替えることで、ＴＤＣ６の非線形性をランダマイズして、線形性に近づけるディザリング処理を行う。
【００２３】
図３はエッジ選択器５の内部構成の一例を示す回路図、図４は図３のエッジ選択器５の動作タイミング図である。図３のエッジ選択器５は、２段のフリップフロップ（以下、Ｆ／Ｆ）２１，２２と、マルチプレクサ２３とを有する。初段のＦ／Ｆ２１は、基準信号をＤＣＯ２の発振信号の正エッジで保持する。次段のＦ／Ｆ２２は、初段のＦ／Ｆ２１の保持信号Ｓ１をＤＣＯ２の発振信号の負エッジで保持する。マルチプレクサ２３は、初段のＦ／Ｆ２１の保持信号Ｓ１と、次段のＦ／Ｆ２２の保持信号Ｓ２とのいずれか一方を、乱数によって選択する。
【００２４】
図４に示すように、保持信号Ｓ１はＤＣＯ２の発振信号の正エッジにて立ち上がる信号であり、その半周期後に、保持信号Ｓ２が立ち上がる。エッジ選択器５は、乱数が０（通常動作時）のときは、保持信号Ｓ１をＴＤＣ６に供給し、乱数が１（ディザリング動作時）のときは、保持信号Ｓ１からプラスπだけ位相が進んだ保持信号Ｓ２をＴＤＣ６に供給する。
【００２５】
図３では、初段のＦ／Ｆ２１がＤＣＯ２の発振信号の正エッジで保持動作を行い、次段のＦ／Ｆ２２が負エッジで保持動作を行っているが、発振信号のエッジを逆にして、これらＦ／Ｆで保持動作を行ってもよい。
【００２６】
このように、乱数発生器４が生成した乱数によって、エッジ選択器５が出力する位相差信号がランダムに変化する。より詳細には、位相差信号をプラスπするか否かがランダムに選択される。これにより、図１の発振器１を長時間にわたって動作させると、ＴＤＣ６の非線形性がランダマイズされて、ＴＤＣ６の入出力特性が線形に近づいていく。
【００２７】
ＴＤＣ６の入出力特性は、必ずしも図２のような特性になるとは限らないが、図２は非線形性が最大になるときの特性を示している。したがって、図１のように、エッジ選択器５から出力される位相差信号を乱数によってプラスπするか否かをランダムに選択することで、図２の破線のような線形性に近づけることができる。
【００２８】
位相誤差生成器８内の第１加算器１１は、エッジ選択器５で位相シフトを行った影響を除去するために、乱数にゲインαを乗じたオフセット補正値を、ＴＤＣ６の出力信号から減じている。このゲインαは、ＤＣＯ２の発振信号の正エッジと負エッジの位相差、または発振信号のデューティ比であり、理想状態ではプラスπに対応する。回路ばらつきなどの影響が大きくて、正エッジと負エッジの位相差がプラスπでない場合には、ゲインαの値を位相誤差信号ＰＨＥが小さくなるように補正することで、ＴＤＣ６の位相雑音を増加させることなく、ディザリングを行うことができる。
【００２９】
ゲインαの補正は、時間平均を取るＬＭＳアルゴリズムなどの種々のアルゴリズムを採用することができる。可変遅延素子で発振器１を構成する場合と異なり、ＤＣＯ２の発振信号のエッジを遅延量として用いるため、ばらつきが小さく、補正に要する時間コストを低減できる。
【００３０】
このように、第１の実施形態では、ＴＤＣ６に入力する位相差信号をプラスπするか否かを乱数によってランダムに選択するため、ＴＤＣ６の非線形性をランダマイズすることができ、結果として、ＴＤＣ６の線形性を向上できる。
【００３１】
また、第１の実施形態では、２値の乱数だけで、ＴＤＣ６の非線形性をランダマイズできるため、発振器１の内部構成を複雑化せずに、高速にＴＤＣ６の線形性を向上できる。
【００３２】
（第２の実施形態）
第１の実施形態によるエッジ選択器５は、位相差信号をプラスπするか否かを乱数によって決定しているが、位相差信号をプラスπすると、プラスπした後の位相差信号の位相が２πを超えるおそれがあり、ＴＤＣ６の入力レンジが０〜３πまで必要となる。ＴＤＣ６の入力レンジを広げるのは容易ではない。
【００３３】
そこで、本実施形態では、エッジ選択器５での位相シフト量として、（０，＋απ）と（０，（α−１）π）の２組を設けて、位相差信号の大きさによって、どちらか一方の組を選択する。ゲインαは、ＤＣＯ２の発振信号のデューティ比である。具体的には、位相同期時に、ＴＤＣ６の入力位相とＡＤＰＬＬの基準位相とが一致していることを利用して、ゲインαを求める。
【００３４】
図５は第２の実施形態による発振器１の概略構成を示すブロック図である。図５の発振器１は、図１の構成に加えて、ゾーン選択器（位相シフト方向選択器）１４を備えている。
【００３５】
ゾーン選択器１４は、基準位相と乱数に基づいて、エッジ選択器５での位相シフト方向を示す信号を生成する。より具体的には、ゾーン選択器１４は、−１、０または＋１のいずれかを出力する。−１は位相差を小さくする調整を行うことを示し、＋１は位相差を大きくする調整を行うことを示し、０は位相差の調整を行わないことを示す。
【００３６】
オフセット補正演算器７は、ＴＤＣ６の出力からオフセット分を除去するために、そのオフセット分を演算する。より具体的には、オフセット補正演算器７は、−α、０または１−αのいずれかをオフセット分として出力する。
【００３７】
図５のエッジ選択器５は、（１−α）πを基準として、（１−α）π未満であれば、（０，＋απ）の組合せのディザで位相差信号を補正し、（１−α）π以上であれば、（０，（α−１）π）の組合せのディザで位相差信号を補正して、ＴＤＣ６に供給する。
【００３８】
図６は、ゲインα＝０．５（デューティ比５０％）のときのディザ付加の様子を示す図である。図６では、基準位相が＋π以上の場合を示している。この場合、ＤＣＯ２の発振信号の位相も＋π以上と考えられるため、発振信号の正エッジの次の負エッジを用いて、＋πの位相シフトをした場合には、ＴＤＣ６は２π以上の入力レンジを必要とする。しかしながら、本実施形態では、ＤＣＯ２の発振信号の正エッジの直前の負エッジを選択することで、−πの位相シフトを行うため、ＴＤＣ６に必要な入力レンジを狭めることができる。
【００３９】
図７はデューティ比が５０％ではない場合のディザ付加の様子を示す図である。図７は基準位相が（１−α）π以上の場合を示している。この場合、ＤＣＯ２の発振信号の位相も（１−α）π以上と考えられるため、発振信号の正エッジの次の負エッジを用いて、＋απの位相シフトをした場合には、ＴＤＣ６は２π以上の入力レンジを必要とする。しかしながら、本実施形態では、発振信号の正エッジの直前の負エッジを選択することで、（α−１）πのシフトを行うため、ＴＤＣ６に必要な入力レンジを狭めることができる。
【００４０】
図８は図５のエッジ選択器５の内部構成を示す回路図、図９は図８のエッジ選択器５の動作タイミング図である。図８のエッジ選択器５は、３段のＦ／Ｆ３１〜３３と、第１〜第３マルチプレクサ３４〜３６とを有する。初段のＦ／Ｆ３１は、基準信号をＤＣＯ２の発振信号の負エッジで保持した保持信号Ｓ３を出力する。２段目のＦ／Ｆ３２は、初段のＦ／Ｆ３１の保持信号Ｓ３を発振信号の正エッジで保持した保持信号Ｓ４を出力する。３段目のＦ／Ｆ３３は、２段目のＦ／Ｆ３２の保持信号Ｓ４を発振信号の負エッジで保持した保持信号Ｓ５を出力する。
【００４１】
第１マルチプレクサ３４の２入力にはともに保持信号Ｓ４が入力されているため、第１マルチプレクサ３４は常に保持信号Ｓ４を出力する。第２マルチプレクサ３５は、ゾーン選択器１４の出力信号の符号により、保持信号Ｓ３、Ｓ５のいずれかを出力する。第３マルチプレクサ３６は、ゾーン選択器１４の出力信号が＋１または−１であれば、第２マルチプレクサ３５の出力信号を選択し、ゾーン選択器１４の出力信号が０であれば、第１マルチプレクサ３４の出力信号である保持信号Ｓ４を出力する。
【００４２】
このように、第２の実施形態では、基準信号とＤＣＯ２の発振信号との位相差が所定値以上か否かによって、エッジ選択器５から出力される位相差信号の位相シフト量を切り替えるため、ＴＤＣ６の入力位相のレンジを広げることなく、ディザリング処理を行うことができる。また、第２の実施形態においても、第１の実施形態と同様に、位相シフト量とその符号判定をＤＣＯ２の発振信号のデューティ比という１つのパラメータで行うことができ、回路規模を大型化することなく、高速にディザリング処理を行うことができる。
【００４３】
（第４の実施形態）
上述した第１および第２の実施形態における発振器１は、受信回路６１または、受信回路６１および送信回路６２を備えた無線通信装置６３にて用いられることができる。図１０は第１および第２の実施形態におけるＡＤＰＬＬ構成の発振器１を有する受信回路６１および無線通信装置６３の内部構成を示すブロック図である。
【００４４】
図１０の無線通信装置６３は、ＲＦ部９１とベースバンド部９２とを備えている。ＲＦ部９１は、送信回路６２と、受信回路６１と、送信回路６２および受信回路６１が共用する局部発振信号を生成する発振器１と、アンテナ部８０に接続されたバンドパスフィルタ（ＢＰＦ）６４とを有する。ベースバンド部９２は、ベースバンド処理を行う信号処理部（ＤＳＰ）６５とを有する。図１０の発振器１は、第１および第２の実施形態で説明した発振器１と同様に構成されている。図１０の無線通信装置６３のすべては、１チップのＩＣ（Integrated Circuit：集積回路）で構成可能である。あるいは、図１０の無線通信装置６３を複数のチップで構成してもよい。例えば、ＲＦ部９１とベースバンド部９２を別個のチップで構成してもよいし、ＲＦ部９１を複数のチップで構成してもよいし、ベースバンド部９２を複数のチップで構成してもよい。
【００４５】
受信回路６１は、送受切替スイッチ７１と、低雑音増幅器（ＬＮＡ）７２と、Ｉ信号受信用のミキサ（ＭＩＸ）７３、ローパスフィルタ（ＬＰＦ）７４およびＡ／Ｄ変換器（ＡＤＣ）７５と、Ｑ信号受信用のミキサ（ＭＩＸ）７６、ローパスフィルタ（ＬＰＦ）７７およびＡ／Ｄ変換器（ＡＤＣ）７８と、発振器１からの局部発振信号を分周する分周器７９とを有する。
【００４６】
送信回路６２は、送受切替スイッチ８１と、パワーアンプ（ＰＡ）８２と、Ｉ信号送信用のミキサ（ＭＩＸ）８３、ローパスフィルタ（ＬＰＦ）８４およびＤ／Ａ変換器（ＤＡＣ）８５と、Ｑ信号送信用のミキサ（ＭＩＸ）８６、ローパスフィルタ（ＬＰＦ）８７およびＤ／Ａ変換器（ＤＡＣ）８８と、発振器１からの局部発振信号を分周する分周器８９とを有する。
【００４７】
信号処理部６５は、送信処理機能と、受信処理機能と、ＭＡＣ（Media Access Control）層またはその上位のネットワーク階層の処理を行う機能とを備えている。
【００４８】
図１０の受信回路機６１と送信回路６２のそれぞれを単体で備える無線通信装置６３を設けてもよい。
【００４９】
図１０の無線通信装置６３は、一つのアンテナ部８０しか備えていないが、アンテナの数には特に制限はない。例えば、送信用のアンテナ部８０と受信用のアンテナ部８０を別個に設けてもよいし、Ｉ信号用のアンテナ部８０とＱ信号用のアンテナ部８０を別個に設けてもよい。アンテナ部８０が一つだけのときは、送受切替スイッチで、送信と受信を切り替えればよい。
【００５０】
図１０に示した無線通信装置６３は、アクセスポイントや無線ルータ、コンピュータなどの据置型の無線通信装置６３にも適用できるし、スマートフォンや携帯電話等の携帯可能な無線端末にも適用できるし、マウスやキーボードなどのホスト装置と無線通信を行う周辺機器にも適用できるし、無線機能を内蔵したカード状部材にも適用できるし、生体情報を無線通信するウェアラブル端末にも適用できる。図１０に示した無線通信装置６３同士での無線通信の無線方式は、特に限定されるものではなく、第３世代以降のセルラー通信、無線ＬＡＮ、Ｂｌｕｅｔｏｏｔｈ（登録商標）、近接無線通信など、種々のものが適用可能である。
【００５１】
図１１はホスト装置であるＰＣ９１と周辺機器であるマウス９２との間で無線通信を行う例を示しており、ＰＣ９１とマウス９２の双方に、図１０に示した無線通信装置６３が内蔵されている。マウス９２は、内蔵バッテリの電力を利用して無線通信を行うが、バッテリを内蔵するスペースは限られているため、できるだけ低消費電力で無線通信を行う必要がある。このため、Bluetooth（登録商標）４．０の規格の中で策定されたBluetooth Low Energyなどの低消費無線通信が可能な無線方式を用いて無線通信を行うのが望ましい。
【００５２】
図１２はウェアラブル端末９３とホスト装置（例えばＰＣ９１）との間で無線通信を行う例を示している。ウェアラブル端末９３は、人間の身体に装着されるものであり、図１２のように腕に装着するタイプだけでなく、シールタイプなどの身体に貼り付けるものや、眼鏡タイプおよびイヤホンタイプなどの腕以外の身体に装着するものや、ペースメーカなどの身体の内部に入れるものなど、種々のものが考えられる。図１２の場合も、ウェアラブル端末９３とＰＣ９１の両方に、図１０に示した無線通信装置６３が内蔵されている。なお、ＰＣ９１とは、コンピュータやサーバなどである。ウェアラブル端末９３も、人間の身体に装着されるため、内蔵バッテリのためのスペースが限られているため、上述したBluetooth Low Energy等の低消費電力での無線通信が可能な無線方式を採用するのが望ましい。
【００５３】
また、図１０に示した無線通信装置６３同士で無線通信を行う場合、無線通信によって送受される情報の種類は特に限定されない。ただし、動画像データのようなデータ量の多い情報を送受する場合と、マウス９２の操作情報のようにデータ量の少ない情報を送受する場合とでは、無線方式を変えるのが望ましく、送受される情報量に応じて最適な無線方式で無線通信を行う必要がある。
【００５４】
さらに、図１０に示した無線通信装置６３同士で無線通信を行う場合、無線通信の動作状態をユーザに報知する報知部を設けてもよい。報知部の具体例としては、例えば、ＬＥＤ等の表示装置に動作状態を表示してもよいし、バイブレータの振動により動作状態を報知してもよいし、スピーカやブザー等による音声情報より動作状態を報知してもよい。
【００５５】
上述した各実施形態で説明した発振器１および無線通信装置６３の少なくとも一部は、ハードウェアで構成してもよいし、ソフトウェアで構成してもよい。ソフトウェアで構成する場合には、発振器１および無線通信装置６３の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００５６】
また、発振器１および無線通信装置６３の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１  局部発振器、２  発振部、３  整数位相検出器、４  乱数発生器、５  エッジ選択器、６  小数位相検出器、７  オフセット補正演算器、８  位相誤差生成器、９  基準位相生成器、１０  α検出部、１１  第１加算器、１２  第２加算器、１３  ループフィルタ、２１，２２  フリップフロップ、２３  マルチプレクサ、３１、３２、３３  フリップフロップ、３４  第１マルチプレクサ、３５  第２マルチプレクサ、３６  第３マルチプレクサ
【図１】
2018157434.tif 000003
【図２】
2018157434.tif 000004
【図３】
2018157434.tif 000005
【図４】
2018157434.tif 000006
【図５】
2018157434.tif 000007
【図６】
2018157434.tif 000008
【図７】
2018157434.tif 000009
【図８】
2018157434.tif 000010
【図９】
2018157434.tif 000011
【図１０】
2018157434.tif 000012
【図１１】
2018157434.tif 000013
【図１２】
2018157434.tif 000014